(57)【特許請求の範囲】
【請求項１】
複数の通気孔と、この通気孔の開閉を行う肉薄円形状の弁傘部と、この弁傘部の中央から突出する弁固定用突起と、を有する弁構造であって、
前記複数の通気孔は、円形状の弁傘部の中心部を中心として、二重以上の多重円周上に配置され、
前記多重円周上に配置される複数の通気孔は円形、または外方に向けて広がる実質的な台形であり、
前記多重円周上に配置される複数の通気孔のうち、最内円周上に配置される通気孔の孔径は、最外円周上に配置される通気孔の孔径よりも大きく設定されており、
同一円周上に配置される複数の通気孔は、同一形状、同一ピッチで配置されており、
前記多重円周上に配置される複数の通気孔のうち、内側に配置される通気孔は、このものと外側に配置され隣接する２つの通気孔とで三角形を形成する位置関係に形成されていることを特徴とする弁構造。
【請求項２】
筐体状の電磁石ケースと、
該電磁石ケースの中に対向するように配置された一対の電磁石と、
該一対の電磁石の対向面の間に介在され電磁石の極性変化に伴い、電磁石の対向方向に対して直角方向に往復運動する振動子と、
該振動子の両端部に対向するように配置された一対の弾性を有するダイヤフラムと、
該ダイヤフラムにより隔離され、複数の通気孔と、この通気孔の開閉を行う肉薄円形状の弁傘部およびこの弁傘部の中央から突出する弁固定用突起とを有する吸入弁および吐出弁を１個ずつ有する弁ケース本体と、を有する電磁式ダイヤフラムポンプであって、
前記複数の通気孔は、円形状の弁傘部の中心部を中心として、二重以上の多重円周上に配置され、
前記多重円周上に配置される複数の通気孔は円形、または外方に向けて広がる実質的な台形であり、
前記多重円周上に配置される複数の通気孔のうち、最内円周上に配置される通気孔の孔径は、最外円周上に配置される通気孔の孔径よりも大きく設定されており、
同一円周上に配置される複数の通気孔は、同一形状、同一ピッチで配置されており、
前記多重円周上に配置される複数の通気孔のうち、内側に配置される通気孔は、このものと外側に配置され隣接する２つの通気孔とで三角形を形成する位置関係に形成されていることを特徴とする電磁式ダイヤフラムポンプ。
【請求項３】
前記複数の通気孔は、互いに隣り合う最小接近距離が１ｍｍ以上である請求項２に記載の電磁式ダイヤフラムポンプ。
【請求項４】
弁傘部のシール側の平面の表面粗度Ｒａが、０．５〜３．０μｍである請求項２または請求項３に記載の電磁式ダイヤフラムポンプ。
【発明の詳細な説明】
【０００１】
【発明の属する技術分野】
本発明は、新規な弁構造であって複数の通気孔が円形状の弁傘部の中心部を中心として、二重以上の多重円周上に配置された弁構造、およびこれを好適に適用させた電磁式ダイヤフラムポンプに関する。
【０００２】
電磁式ダイヤフラムポンプについて言えば、特に、対向する電磁石に交流電流を通電させることにより、対向する電磁石の間に介在された振動子を交流電源と同じ周波数で往復運動させ、振動子の両端部に対向するように配置された一対のダイヤフラムの変形を利用し、ダイヤフラムで仕切られるケース内の容積変化と、弁の作用により圧縮気体を連続的に吐出させるように作用する。このような電磁式ダイヤフラムポンプは、例えば、曝気式浄化槽の曝気用、養魚の酸素補給用、泡風呂等のエアー噴気用、小型コンプレッサー等に用いられる。
【０００３】
【従来の技術】
従来より、例えば、浄化槽の曝気用や養魚の酸素補給用のポンプの一つとして、電磁式ダイヤフラムポンプが使用されている。
【０００４】
このような電磁式ダイヤフラムポンプは、例えば、実開平２−８３３８７号公報等に開示されているように、上部を開放した箱状の電磁石ケースと、この電磁石ケースの中に対向するように配置され固着された一対の電磁石と、この一対の電磁石の対向面の間に介在され電磁石の極性変化に伴い往復運動する振動子を備えている。さらに、振動子の両端部には、対向するように配置された一対のダイヤフラムが形成されており、ダイヤフラムの外周縁は、電磁石ケースと、吸入弁および吐出弁を有する弁ケース本体とにより挟持・固定されている。
【０００５】
そして、電磁式ダイヤフラムポンプは、電磁石の極性変化に伴い振動子が往復運動し、この振動子に連結されたダイヤフラムを振動させることによって、外部空気の圧縮室内への吸入、および吸入した空気の圧縮吐出という動作が吸入弁および吐出弁を介して連続的に繰り返される。
【０００６】
このような電磁式ダイヤフラムポンプに使用される吸入弁および吐出弁は、アンブレラバルブと呼ばれるものが一般的に多く使用され、このものは、肉薄円形状の弁傘部と、この弁傘部から突出する弁固定用突起を備える形状をなしている。そして、肉薄円形状の弁傘部は、ダイヤフラムの振動に伴い、空気の流通口である通気孔の開閉を制御するように作用する。通常、空気の流通口である通気孔は、吸入弁や吐出弁の弁１個当たり、最大Φ５ｍｍ程度の丸穴が１個から１０個程度、弁固定軸を中心として１つの円周上に配置され形成されている。
【０００７】
ところで、通気孔を通しての通気流量はポンプ性能の指標の一つであり、実際の設計段階で、装置自体の大きさはそのままとし通気流量を大きくとりたい場合がある。ところが、この通気流量を大きくするために通気孔１個当たりの径を大きくすると、通気孔のシール時に背圧力で肉薄の弁傘部が通気孔内に潜り込むように変形するために、シール弁機能としての耐久性が低下するおそれがある。この一方で、通気孔１個当たりの径を小さくして穴の個数を増やすと、通気孔の管抵抗が増し、単位穴面積あたりの流量が減少してしまうという問題がある。このような問題に対処するために、例えば、実公平７−３６１３９号公報に開示されているように、円板形状の弁の数そのものを増やし、２個以上設ける方法も考えられる。
【０００８】
【発明が解決しようとする課題】
しかしながら、このような方法では、部品点数が多くなり、組み立て工数の増大や部材管理工数の増大を招き、直接、コストアップの要因となってしまう。また、複数の弁を備えるがゆえに弁トラブル発生による弁交換の管理も複雑となる。さらには、省スペース化への対応が困難であると言える。
【０００９】
このような実状のもとに本発明は創案されたものであり、その目的は、耐久性に優れることはもとより、吐出量の増大が図れ、作業工数の低減化によるコストダウンおよび省スペース化への対応が可能な弁構造およびこれを用いた電磁式ダイヤフラムポンプを提供することにある。
【００１０】
【課題を解決するための手段】
このような目的を達成するために、本発明の弁構造は、複数の通気孔と、この通気孔の開閉を行う肉薄円形状の弁傘部を有する弁構造であって、前記複数の通気孔は、円形状の弁傘部の中心部を中心として、二重以上の多重円周上に配置されてなるように構成される。
【００１１】
また、本発明の好ましい態様として、前記多重円周上に配置される複数の通気孔のうち、最内円周上に配置される通気孔の孔径は、最外円周上に配置される通気孔の孔径よりも大きく設定されてなるように構成される。
【００１２】
また、本発明の好ましい態様として、前記多重円周上に配置される複数の通気孔は円形であるように構成される。
【００１３】
また、本発明の好ましい態様として、前記多重円周上に配置される複数の通気孔は、外方に向けて広がる実質的な台形であるように構成される。
【００１４】
また、本発明の好ましい態様として、同一円周上に配置される複数の通気孔は、同一形状、同一ピッチで配置されるように構成される。
【００１５】
また、本発明の好ましい態様として、内側に配置される通気孔は、このものと外側に配置される２つの通気孔とで三角形を形成する位置関係に形成される。
【００１６】
本発明の電磁式ダイヤフラムは、筐体状の電磁石ケースと、該電磁石ケースの中に対向するように配置された一対の電磁石と、該一対の電磁石の対向面の間に介在され電磁石の極性変化に伴い、電磁石の対向方向に対して直角方向に往復運動する振動子と、該振動子の両端部に対向するように配置された一対の弾性を有するダイヤフラムと、該ダイヤフラムにより隔離され、複数の通気孔と、この通気孔の開閉を行う肉薄円形状の弁傘部を有する吸入弁および吐出弁を１個ずつ有する弁ケース本体と、を有する電磁式ダイヤフラムポンプであって、前記複数の通気孔は、円形状の弁傘部の中心部を中心として、二重以上の多重円周上に配置されてなるように構成される。
【００１７】
本発明の弁構造において形成される複数の通気孔は、円形状の弁傘部の中心部を中心として、二重以上の多重円周上に配置されるように構成されているので流量の増大化が図られるとともに作業工数の低減化によるコストダウンおよび省スペース化への対応が可能となる。
【００１８】
【発明の実施の形態】
以下、本発明の好適な実施の形態について添付図面に基づいて詳細に説明する。本発明の弁構造は、その理解を容易にするために、当該弁構造を電磁式ダイヤフラムポンプに適用した場合を、好適例として挙げて以下に説明する。
【００１９】
図１は、本発明の電磁式ダイヤフラムポンプ１を、個々の主要パーツに分解させた状態を概略的に示す斜視図である。
【００２０】
図２は、本発明の電磁式ダイヤフラムポンプの主要部分の必要箇所を、断面で示した正面図、図３は、本発明の電磁式ダイヤフラムポンプの主要部分の必要箇所を、断面で示した平面図である。
【００２１】
図４は、本発明の電磁式ダイヤフラムポンプに用いられる吸入弁および吐出弁の代表的な形態を示す斜視図である。
【００２２】
図１に示されるように、下部タンク容器５の上面には、板状の底部基台プレート７が、密封状態となるように被着固定される。この板状の底部基台プレート７の略中央付近の上に、電磁石ケース１０が設置されている。電磁石ケース１０は、一般に、底部基台プレート７の上に直接載置されるのではなく、実質的にクッション作用が働くように、例えば、防振ゴム９を介して設置されている。電磁石ケース１０は、本実施の形態の場合、開口部を有する有底容器状の電磁石ケース本体１１と、この開口部を覆うための板状の電磁石ケース蓋体１５を有し構成される。
【００２３】
電磁石ケース１０の中には、対向するように配置された一対の電磁石２１，２５と、この一対の電磁石２１，２５の対向面の間に介在され、電磁石の極性変化に伴い、電磁石の対向方向に対して直角方向に往復運動する振動子３０が挿着される。さらに、振動子３０は、その両端部に連結用シャフト３１，３１が固定配置されており、これにより振動子３０の両端部に対向する一対のダイヤフラム４０が配置される。
【００２４】
ダイヤフラム４０の中央部には、ダイヤフラム電磁石側センタープレート７０と、ダイヤフラム弁ケース側センタープレート８０とが挟持された状態で固定されており、これらの結合プレート７０，８０に実質的に振動子３０（連結用シャフト３１，３１）が固定される。
【００２５】
ダイヤフラム４０の外周面は電磁石ケース１０の側面に固定され、このダイヤフラム４０を押しつけるように弁ケース本体５０および弁ケース蓋体６０が、電磁石ケース１０の両側に固着される。
【００２６】
弁ケース本体５０には、吸入弁１２０および吐出弁１３０がそれぞれ各所定の機能（吸入および吐出）を果たすように特定の向きに取りつけられている。このことは、後述する図３の説明でより明らかになるであろう。
【００２７】
弁ケース蓋体６０は、外部に突出したホース連結部６１を備え、この連結部６１にＬ型ゴムホース９０の上部口９１が挿着され、Ｌ型ゴムホース９０の下部口９５は、底部基台プレート７の孔部７ａに挿着される。
【００２８】
このようにして底部基台プレート７の上に、配置された電磁石ケース１０およびそれに固着される上記の主要部材は、外包ケース１００によってすっぽりと覆われ、外包ケース１００の底部は、通常、下部タンク容器５の周縁あるいは底部基台プレート７の周縁と当接しつつ密封状態に固着される。外包ケース１００は、エアーフィルタ（図示していない）をその上部備え、外部空気がエアーフィルタを介して外包ケース１００内部に流入するようにエアーフィルタカバー１０１によりエアーフィルタの固着が行われている。図１における符号１１０は、ゴム脚を示している。
【００２９】
次いで、図２および図３に基づき、本発明の電磁式ダイヤフラムポンプの基本的構造をさらに詳細に説明する。
【００３０】
図２および図３に示されるように、対向して配置される一対の電磁石２１，２５は、それぞれ、Ｅ型の電磁石コア２２，２６と、電磁石コイル２３，２７が巻かれた電磁石ボビン２４，２８とを備えている。電磁石ボビン２４，２８はそれぞれ、両端にフランジ部２４ａおよび２８ａを有する筒状形態をなし、これらの電磁石ボビン２４，２８は、それぞれ、Ｅ型の電磁石コア２２，２６の中央コア２２ａ，２６ａに挿入された形態で組み立てられる。電磁石２１，２５の電磁石コイル２３，２７には交流電源が接続され、交流電源の周波数と同一回数の磁極の変化（極性変化）が生じるようになっている。
【００３１】
このような一対の電磁石２１，２５の対向面の間隙には、電磁石２１，２５の極性変化に伴い往復運動する振動子３０が電磁石と接触しないように装着されている。振動子３０は、本実施の形態の場合、プレート本体部３５と、その両端に形成される連結用シャフト３１，３１を有し、プレート本体部３５には、四角状の４つの極性の異なる永久磁石３６，３６（例えばＮ極），３７，３７（例えばＳ極）が埋設されている。
【００３２】
振動子３０の両端部には、一対の中央穴あき円盤状の弾性体（例えばゴム）ダイヤフラム４０が対向するように配置されており、一対のダイヤフラム４０の外周フランジ部４１は、電磁石ケース１０と、弁ケース本体５０により挟持固定されている。ダイヤフラム４０の内周部４５は、ダイヤフラム電磁石側センタープレート７０と、ダイヤフラム弁ケース側センタープレート８０とによって挟持された状態で固定されており、これらの結合プレート７０，８０に振動子３０が固定されている（連結用シャフト３１，３１の先端部で螺子止めされている）。
【００３３】
図３に示されるように、電磁石ケース１０に固着される弁ケース本体５０および弁ケース蓋体６０により、吸気室１５０が形成され、この吸気室１５０は、連通孔５９で電磁石ケース１０内部に連通している。吸気室１５０を区画する弁ケース本体５０の吸気側外側壁５１には、吸入弁１２０が内側から装着されている。
【００３４】
吸入弁１２０の詳細な形態が、図４に示されている。この図に示されるごとく吸入弁１２０は、肉薄円形状の弁傘部１２１と、この弁傘部１２１の中央部から突出する弁固定用突起１２５を備えている。そして、弁固定用突起１２５が弁ケース本体５０に穿設された固定用の孔に装着・固定される（図３）。なお、本発明においては、従来技術で示されているような同一用途（吸入または吐出）での多数の弁を用いることなく、同一用途で１個の弁を用いるようにしているために弁傘部１２１の大きさは従来の多弁タイプのものと比べてやや大きめに設定される。
【００３５】
図４に示されるごとく弁固定用突起１２５の先端部には、通常、固定後の抜け防止のための突起状係止部１２６が形成されている。なお、弁傘部１２１の弁固定用突起１２５が位置する側の平面１２１ａが、いわゆる（弁）シール側の平面となる。本発明における電磁式ダイヤフラムポンプの場合、この弁傘部のシール側の平面の表面粗度Ｒａが、０．５〜３．０μｍ、好ましくは０．８〜１．５μｍの範囲に設定されるのがよい。本発明で規定される表面粗度Ｒａは、中心線平均粗さと同義であり、ＪＩＳ  Ｂ  ０６０１（１９８２）に準拠して測定される数値である。この表面粗度Ｒａの値が０．５μｍ未満となり、小さくなり過ぎると騒音の低減が図れなくなるという不都合が生じる。また、この値が３．０μｍを超えて大きくなり過ぎると、弁としてのシール性が十分に機能しなくなるという不都合が生じる。
【００３６】
このような弁傘部１２１の厚さは、０．５〜１．５ｍｍ、好ましくは０．７〜１．２ｍｍの範囲とするのが良い。このような範囲で弁としてのシール性および騒音の低減化を有効に実現することができる。
【００３７】
なお、このようなシール側と反対側の平面１２１ｂの中央部（図面の点線で囲まれた部分）は、弁固定用突起１２５との関係もあり、弁傘部のなかでも強度を維持するためにやや肉厚となっている。
【００３８】
この吸入弁１２０の弁作用により、図３に示されるように外側壁５１に二重円周上に配置された複数の通気孔２２１，２２２を通して、空気がダイヤフラム室１６０に吸入される。ダイヤフラム室１６０は、ダイヤフラム４０と、弁ケース本体５０の吸気側外側壁５１と吐出側外側壁５５とによって区画されており、吐出側外側壁５５には吐出弁１３０が外側から装着されている。
【００３９】
吐出弁１３０の形態そのものは、前述した吸入弁１２０と基本的に同じであり、その構成は図４に示されるごとく、肉薄円形状の弁傘部１３１と、この弁傘部１３１の中央部から突出する弁固定用突起１３５とを備えている。そして、弁固定用突起１３５が弁ケース本体５０に穿設された固定用の孔に装着固定される（図３）。弁固定用突起１３５の先端部には、通常、固定後の抜け防止のための突起状係止部１３６が形成されている。弁傘部１３１の弁固定用突起１３５が位置する側の平面１３１ａが、シール側の面となる。この弁傘部１３２のシール側の平面の表面粗度Ｒａもやはり、前記吸入弁１２０の場合と同様な設定とされるのがよい。弁傘部１３１厚さの設定についても同様である。
【００４０】
この吐出弁１３０の弁作用により、図３に示されるように、吐出側外側壁５５に二重円周上に配置された複数の通気孔２３１，２３２を通して、ダイヤフラム室１６０の空気は、吐出室１７０に吐出されるようになっている。吐出室１７０に吐出された空気は、Ｌ型ゴムホース９０内を通過して、下部タンク容器５内に入り、吐出口５ａ（図１）を通して吐出される。
【００４１】
なお、吸入弁１２０および吐出弁１３０の弁作用は、以下の動作に基づき行われる。すなわち、交流電源に接続された電磁石２１，２５の極性変化に伴い振動子３０は、交流電源と同じ周波数で図面の矢印（イ）および矢印（ロ）方向に往復運動する。この振動子３０の動きに同期して振動子３０の両端部に配置されたダイヤフラム４０は、そのダイヤフラム４０の中央部を中心にして振動子３０のストロークと同じ変位量で変形する。これにより、ダイヤフラム室１６０の容量の変化が生じ、図３の右方向側のダイヤフラム室１６０に注目すると、ダイヤフラム４０が矢印（イ）方向に変形した場合、ダイヤフラム室１６０は膨張して負圧になり、吸入弁１２０は開いて、空気がダイヤフラム室１６０内に吸入される。この逆に、ダイヤフラム４０が矢印（ロ）方向に変形した場合、ダイヤフラム室１６０は圧縮され正圧になり、吐出弁１３０は開いて、空気がダイヤフラム室１６０内から吐出室１７０に吐出される。これらの動作が交互に連続的に行われ、圧縮空気が連続的に吐出される。なお、このような弁機構を含む基本的な動作原理そのものは、すでに公知の技術となっている。
【００４２】
本発明における発明の要部は、複数の通気孔と、この通気孔の開閉を行う肉薄円形状の弁傘部を有する弁構造であって、前記複数の通気孔は、円形状の弁傘部の中心部を中心として、二重以上の多重円周上に配置されるように構成したところにある。
【００４３】
このような発明の要部を、図５〜図８に基づき詳細に説明する。
【００４４】
図５（ａ）は、複数の通気孔を備え、この通気孔の開閉を行うための吸入弁１２０および吐出弁１３０が取り付けられる弁ケース本体５０の正面図、図５（ｂ）は、図５（ａ）のＡ−Ａ断面矢視図である。図６は、複数の通気孔の配置例を説明するための正面図である。図７は、複数の通気孔の他の配置例を説明するための正面図である。図８（ａ）〜（ｃ）は、弁ケース本体５０に取りつけられた吸入弁１２０および吐出弁１３０の動作を説明するための図面である。
【００４５】
本発明における吸入弁１２０および吐出弁１３０の形状は、前述した通りであり（図４）、これらが装着される弁ケース本体５０の詳細な形態が図５に示されている。
【００４６】
本発明における弁ケース本体５０は、図５に示されるように、貫通された吸入用の複数の通気孔であって二重円周上に配置された複数の通気孔２２１，２２２と、貫通された吐出用の複数の通気孔であって二重円周上に配置された複数の通気孔２３１，２３２と、前記弁体の弁固定用突起１２５および１３５を挿入固定するための吸入弁挿入固定用孔５７および吐出弁挿入固定用孔５８を備えている。
【００４７】
吸入用の通気孔（図５（ａ）の左側部分）は、本実施の形態の場合、内側の円周上（サークルＣ１）に同一形状（すべて円形）、かつ同一ピッチで配置された通気孔２２１（図の例では８個）と、外側の円周上（サークルＣ２）に同一形状（すべて円形）、かつ同一ピッチで配置された通気孔２２２（図の例では１６個）から構成されている。この場合、最内円周上に配置される通気孔２２１の孔径は、最外円周上に配置される通気孔２２２の孔径よりも大きく設定されることが望ましい。肉薄円形状の弁傘部が通気孔内に潜り込むように変形することを極力防止し、シール弁としての耐久性を向上させるためである。また、内側に配置される通気孔２２１は、このものと外側に配置される２つの通気孔２２２とで三角形を形成する位置関係に形成することが望ましい。耐久性を維持しつつ流量の増大を図りやすくするためである。
【００４８】
た、複数の通気孔２２１，２２２は、互いに隣り合う最小接近距離が１ｍｍ以上あるように形成することが望ましい。弁傘部が密着した時、弁傘部のダメージを極力防止するためである。通気孔２２１，２２２の径は、通常、５ｍｍ以下とすることが望ましい。
【００４９】
吐出用の通気孔（図５（ａ）の右側部分）もまた、上記吸入用の通気孔と同様な仕様に設定とされる。すなわち、本実施の形態の場合、内側の円周上（サークルＣ１’）に同一形状（すべて円形）かつ同一ピッチで配置された通気孔２３１（図の例では８個）と、外側の円周上（サークルＣ２’）に同一形状（すべて円形）かつ同一ピッチで配置された通気孔２３２（図の例では１６個）から構成されている。この場合、最内円周上に配置される通気孔２３１の孔径は、最外円周上に配置される通気孔２３２の孔径よりも大きく設定されることが望ましい。また、内側に配置される通気孔２３１は、このものと外側に配置される２つの通気孔２３２とで三角形を形成する位置関係に形成することが望ましい。また、複数の通気孔２３１，２３２は、互いに隣り合う最小接近距離が１ｍｍ以上あるように形成することが望ましい。
【００５０】
本実施の形態の場合には、複数の通気孔を、二重円周上に配置させたものを好適例として挙げているが、これ以外にも、三重〜四重円周上の配置などの多重円周上の配置としてもよい。
【００５１】
図６には、図５（ａ）における吸入用の通気孔（図５（ａ）の左側部分）の拡大図が、弁傘部１２１との関係で示されている。通気孔２２１，２２２を円形とすることは製造の際の加工が容易となるというメリットがある。
【００５２】
図７には図６の変形例が示されている。すなわち、図７に示されるごとく二重円周上に配置される複数の通気孔２２１ａ（内側円周），２２２（外側円周）は、外方に向けて広がる実質的な台形形状をなしている。実質的な台形形状とは、厳密な意味での台形ではなく、多少の湾曲部分が存在したり、角にアールが存在してもよいことを意味する。台形形状とすることにより、配列による穴面積が大きくとれ大流量化が実現しやすくなるというメリットがある。この場合もやはり、内側に配置される通気孔２２１ａは、このものと外側に配置される２つの通気孔２２２ａとで三角形を形成する位置関係に形成することが望ましい。
【００５３】
次いで、本発明における吸気弁１２０および吐出弁１３０が変形する様子を図８に基づいて説明する。
【００５４】
図８（ａ）には、図４に示される吸入弁１２０および吐出弁１３０を、図５に示される弁ケース本体５０の吸入弁挿入固定用孔５７および吐出弁挿入固定用孔５８にそれぞれ挿入して装着した状態が示される。また、弁作用の理解が容易となるように、内側の通気孔２２１，２３１のみが断面で見える状態で示されている。
【００５５】
ダイヤフラムの変形に伴い、ダイヤフラム室１６０が膨張して負圧になった時、吸入弁１２０の弁本体１２２は開いて、空気がダイヤフラム室１６０内に吸入される（図８（ｂ））。次いで、ダイヤフラムの逆方向の変形に伴い、ダイヤフラム室１６０は圧縮され正圧になり、吐出弁１３０は開いて、空気がダイヤフラム室１６０内から吐出室に吐出される（図８（ｃ））。これら図８（ｂ）〜（ｃ）の動作が交互に連続的に行われ、圧縮空気が連続的に吐出される。
【００５６】
本発明において、吸入弁および吐出弁として用いられるゴム材質は特に制限はない。例えば、ＥＰＤＭやシリコーンゴムが好適な例として挙げられる。ニトリルゴム、フロロシリコーンゴム、ヒドリンゴム、フッ素ゴム等であってもよい。これらは、使用温度や接触流体によっても適宜選定され使用される。
【００５７】
なお、本発明の弁構造は、電磁式ダイヤフラムポンプ以外にも、燃料ポンプ用バルブ、血圧計用排気バルブ、ダッシュポット用遅延弁、燃料タンク内圧調整弁、井戸ポンプ空気補給弁、インクジェットプリンター用ポンプ、医療用輸血逆止弁、自動販売機用バルブ等種々の分野での適用が可能である。
【００５８】
【発明の効果】
本発明は、複数の通気孔と、この通気孔の開閉を行う肉薄円形状の弁傘部を有する弁構造であって、前記複数の通気孔は、円形状の弁傘部の中心部を中心として、二重以上の多重円周上に配置されるように構成されているので、流量の増大化が図られるとともに作業工数の低減化によるコストダウンおよび省スペース化への対応が可能となるという極めて優れた効果が奏される。弁傘部のシール側の平面の表面粗度を規定することにより騒音の低減化も図られる。
【図面の簡単な説明】
【図１】本発明の電磁式ダイヤフラムポンプを、個々の主要パーツに分解させた状態を概略的に示す斜視図である
【図２】本発明の電磁式ダイヤフラムポンプの主要部分の必要箇所を、断面で示した正面図である。
【図３】本発明の電磁式ダイヤフラムポンプの主要部分の必要箇所を、断面で示した平面図である。
【図４】吸入弁および吐出弁の代表的な形態を示す斜視図である。
【図５】図５（ａ）は、複数の通気孔を備え、この通気孔の開閉を行うための吸入弁および吐出弁が取り付けられる弁ケース本体の正面図、図５（ｂ）は、図５（ａ）のＡ−Ａ断面矢視図である。
【図６】複数の通気孔の配置例を説明するための正面図である。
【図７】複数の通気孔の他の配置例を説明するための正面図である。
【図８】図８（ａ）〜（ｃ）は、弁ケース本体に取りつけられた吸入弁および吐出弁の動作を説明するための図面である。
【符号の説明】
１…電磁式ダイヤフラムポンプ
５…下部タンク容器
７…底部基台プレート
１０…電磁石ケース
１１…電磁石ケース本体
１５…電磁石ケース蓋体
１７…空気吸入口
２１，２５…電磁石
３０…振動子
４０…ダイヤフラム
５０…弁ケース本体
６０…弁ケース蓋体
７０…ダイヤフラム電磁石側センタープレート
８０…ダイヤフラム弁ケース側センタープレート
９０…Ｌ型ゴムホース
１００…外包ケース
１２０…吸入弁
１３０…吐出弁
１５０…吸気室
１６０…ダイヤフラム室
１７０…吐出室
２２１，２２２，２３１，２３２…通気孔
【図１】
0004138989.tif 000002
【図２】
0004138989.tif 000003
【図３】
0004138989.tif 000004
【図４】
0004138989.tif 000005
【図５】
0004138989.tif 000006
【図６】
0004138989.tif 000007
【図７】
0004138989.tif 000008
【図８】
0004138989.tif 000009